(57)【要約】【課題】インターバル記録時における記録間隔を簡単に変更する。【解決手段】撮像手段と、前記撮像手段により得られた動画データを記録媒体に記録する記録手段と、インターバル撮影モードにおいて、予め決められたインターバル間隔ごとに、所定時間分の予め設定された撮影時間の動画データを繰り返し記録するように前記記録手段を制御する制御手段とを備え、前記インターバル間隔においてユーザから記録指示を受けた場合に、前記記録指示の直前の動画データの記録停止から前記記録指示までの経過時間を新たにインターバル間隔として設定し、前記記録指示による前記所定時間分の動画データの記録の後、前記新たに設定したインターバル間隔ごとに前記所定時間分の動画データを記録する。【選択図】図１
2016015658.tif 000002
【特許請求の範囲】
【請求項１】
撮像手段と、
前記撮像手段により得られた動画データを記録媒体に記録する記録手段と、
インターバル撮影モードにおいて、予め決められたインターバル間隔ごとに、所定時間分の予め設定された撮影時間の動画データを繰り返し記録するように前記記録手段を制御する制御手段とを備え、
前記制御手段は、前記インターバル撮影モードにおける、前記インターバル間隔においてユーザから記録指示を受けた場合に、前記記録指示に応じて前記所定時間分の動画データを記録すると共に、前記記録指示の直前の動画データの記録停止から前記記録指示までの経過時間を新たにインターバル間隔として設定し、前記記録指示による前記所定時間分の動画データの記録の後、前記新たに設定したインターバル間隔ごとに前記所定時間分の動画データを記録するように、前記記録手段を制御することを特徴とする撮像装置。
【請求項２】
前記制御手段は、前記インターバル間隔においてユーザから記録指示を受けた場合に、前記記録指示の直前の動画データの記録停止から前記記録指示までの経過時間を新たにインターバル間隔として設定するか否かをユーザに問い合わせることを特徴とする請求項１に記載の撮像装置。
【発明の詳細な説明】
【技術分野】
【０００１】
本発明は、撮像装置に関する。
【背景技術】
【０００２】
従来、動画像を撮影してメモリカード等の記録媒体に記録するビデオカメラが知られている。この様なビデオカメラは、通常の撮影機能に加え、様々な撮影機能を持っていることが多い。その一つに、所定間隔毎に決められた時間撮影を行うインターバル撮影機能がある。インターバル撮影は植物の成長や風景の定点観測に用いられることが多い。植物の成長は予測が難しく最初に設定した撮影間隔では間隔が大きく、本来撮影したかった映像を撮影できない可能性がある。撮影間隔を変更するには一度インターバル撮影を停止し、撮影間隔を設定し直し、インターバル撮影を再開する必要があった。
【０００３】
このような問題に対して動画撮影開始要求があったときに追記すべき動画ファイルが記録媒体内にあったときには自動的に動画ファイルに追加すると言った試みがある（特許文献１）。
【先行技術文献】
【特許文献】
【０００４】
【特許文献１】特開２００５−１０９６５８号公報
【発明の概要】
【発明が解決しようとする課題】
【０００５】
従来技術であるとインターバル撮影のストリームデータに任意のタイミングで新たなストリームデータを追加することが可能である。しかしながらインターバルの撮影間隔を変更することができない。
【０００６】
本発明は、インターバル記録時における記録間隔を簡単に変更することが可能な装置を提供することを目的とする。
【課題を解決するための手段】
【０００７】
本発明に係る撮像装置の構成は、撮像手段と、前記撮像手段により得られた動画データを記録媒体に記録する記録手段と、インターバル撮影モードにおいて、予め決められたインターバル間隔ごとに、所定時間分の予め設定された撮影時間の動画データを繰り返し記録するように前記記録手段を制御する制御手段とを備え、前記制御手段は、前記インターバル撮影モードにおける、前記インターバル間隔においてユーザから記録指示を受けた場合に、前記記録指示に応じて前記所定時間分の動画データを記録すると共に、前記記録指示の直前の動画データの記録停止から前記記録指示までの経過時間を新たにインターバル間隔として設定し、前記記録指示による前記所定時間分の動画データの記録の後、前記新たに設定したインターバル間隔ごとに前記所定時間分の動画データを記録するように、前記記録手段を制御することを特徴とする。
【発明の効果】
【０００８】
本発明によれば、ユーザがインターバル撮影の間隔を容易に変更することが可能である。
【図面の簡単な説明】
【０００９】
【図１】撮像装置の構成を示す図である。
【図２】記録処理を示すフローチャートである。
【図３】システム制御部の構成を示す図である。
【図４】インターバル撮影の動作を表す図である。
【図５】インターバル撮影の動作を表す図である。
【図６】操作部の構成を示す図である。
【図７】インターバル撮影の設定画面を示す図である。
【発明を実施するための形態】
【００１０】
図１は本発明を適用した静止画像や動画像を記録する手段を持ったデジタルビデオカメラ１００の構成例を示したものである。
【００１１】
デジタルビデオカメラ１００は撮像部１０１、映像信号処理部１０２、音声信号処理部１０３、マイク１０４、システム制御部１０５、フレームメモリ１０６、メモリ１０７を備える。さらにビデオ／オーディオコーデック１０８、ストリームバッファ１０９、記録再生制御部１１０、内蔵記録媒体１１１、外付け記録媒体１１２、操作部１１３、表示部１１４、多重化処理部１１５から成る。
【００１２】
映像信号処理部１０２は撮像部１０１で得られた映像信号にＡＤ変換および適切な画像処理を施すものである。
【００１３】
マイク１０４は外部の音声を取り込むものであり、音声信号処理部１０３はマイク１０４で得られた音声信号にＡＤ変換および適切な信号処理を施すものである。
【００１４】
システム制御部１０５はプログラムを実行し、各種処理を行う。フレームメモリ１０６は、記録時においては撮影して得られた映像・音声データを符号化・多重化するまでバッファリングし、再生時においては多重分離・復号化された映像・音声データを出力するまでバッファリングするものである。
【００１５】
ビデオ／オーディオコーデック１０８はビデオデータ・音声データを圧縮符号化するものである。メモリ１０７はシステム制御部１０６が使用する情報を一時的に保存しておくためのメモリである。
【００１６】
記録再生制御部１１０は記録媒体に対し、記録再生を制御するものである。外付け記録媒体１１２は着脱可能な記録媒体である。ＭＭＣ、ＳＤ、コンパクトフラッシュ（登録商標）、ＰＣカードなどのメモリカード、あるいはハードディスク、ＣＤ−ＲＷ、ＤＶＤ−Ｒ／ＲＷ、ＭＤなどの光（あるいは光磁気）記録メディアなどが考えられる。
【００１７】
内蔵記録媒体１１１は１１２と同等のものを本体内部に内蔵することや、フラッシュメモリに、書き込み、読み出し等を制御するメモリーコントローラを使用するものなどが考えられる。これらの記録媒体に対して映像の記録・再生がされる。
【００１８】
操作部１１３はユーザからの操作を受け付けて、デジタルビデオカメラ１００を操作するためのものである。表示部１１４は液晶画面を有し、記録時はカメラ画、再生時は再生映像を表示するものであり、デジタルビデオカメラ１００に対する設定メニュー等を表示する機能を有する。
【００１９】
ストリームバッファ１０９は多重化されたストリームデータを保持するためのものである。多重化処理部（マルチプレクサ・デマルチプレクサ）１１５は記録時には圧縮符号化された映像・音声データを多重化してストリームデータを生成し、再生時にはストリームデータを多重分離して映像・音声データを生成するものである。
【００２０】
動画像の撮影時には、システム制御部１０５の指示により撮像部１０１で得られた電気信号を映像信号処理部１０２はおいてデジタルデータに変換し、フレームメモリ１０６にフレーム画像としてバッファリングされる。また、同時にマイク１０４より取得した音声信号は音声信号処理部１０３においてデジタルデータに変換され、フレームメモリ１０６にバッファリングされる。フレームメモリ１０６に格納されたフレーム画像・音声データはビデオ／オーディオコーデック１０８によってそれぞれ符号化され、多重化処理部１１５において多重化を施されたのち、ストリームデータとしてストリームバッファ１０９に保持される。システム制御部１０５はストリームバッファ１０９内のストリームデータを記録再生制御部１１０によって内蔵記録媒体１１１もしくは外付け記録媒体１１２へ記録する。
【００２１】
操作部１１３はユーザが記録・再生操作の指示などの操作を行うためのインターフェイスである。例えば、記録開始要求や通常記録モードとインターバル撮影モードを切り替えるためボタンやズームレバーなどを備える。
【００２２】
表示部１１４は撮像部１０１によって取り込まれた被写体像、あるいは記録媒体１１１、１１２内のデータを再生するときには再生画像を表示する液晶パネルを有し、本装置に対する設定を行うために必要なメニュー表示等の機能も有する。なお、動画再生時は記録再生制御部１１０によって記録媒体１１１，１１２から読み取ったデータはストリームバッファ１０９に格納され、ビデオ／オーディオコーデック１０８によって復号化される。復号化されたデータは多重化処理部１１５にて映像ストリームと音声ストリームに分離されてフレームメモリ１０６に格納される。
【００２３】
展開された映像・音声データは映像信号処理部１０２および音声信号処理部１０３によって適切な信号処理を施した後、それぞれ表示部１１４の液晶パネルやスピーカー（図示しない）から出力される。
図３は図１中のシステム制御部１０５の構成を示したものである。システム制御部１０１はＣＰＵ３０１と時間計測部３０２よりなる。ＣＰＵ３０１プログラムを実行し、時間計測部３０２は時計が内蔵されており、現在の時刻や、撮像装置が起動してからの時間を所定のタイミングで取得可能なものである。
【００２４】
図６は図１中の操作部１１３を示したものである。録画開始停止ボタン５０１、広角側へのズームボタン５０２、望遠側へのズームボタン５０３、メニュー呼び出しボタン５０４、十字キー５０５、決定ボタン５０６などがある。これらのボタンは記録再生でボタンに割り振る機能を変更することが可能である。これらのボタンを用いてユーザは記録・再生の指示などの操作を行う。
【００２５】
次に図１、図２を用いて、インターバル撮影の動作概要を説明する。撮影の開始前までにユーザにより操作部１１３で撮影時間間隔及び撮影時間長を設定する。操作部１１３から撮影開始の指示がされると、システム制御部１０５の指示により撮像部１０１で得られた電気信号を映像信号処理部１０２はおいてデジタルデータに変換し、フレームメモリ１０６にフレーム画像として格納する。また、同時にマイク１０４より取得した音声信号は音声信号処理部１０３においてデジタルデータに変換され、フレームメモリ１０６にバッファリングされる。
【００２６】
システム制御部１０５はビデオ／オーディオコーデック１０８に対しフレーム画像、音声データの符号化を指示する。ビデオ／オーディオコーデック１０８にはフレーム画像、音声データの符号化を行い、多重化処理部１１５において多重化を施されたのち、ストリームデータとしてストリームバッファ１０９に保持される。ストリームデータが所定のデータ量になると記録再生制御部１１０を介して記録媒体にストリームデータを記録する。このフレーム画像、音声データの入力からストリームデータを記録するまでの動作を繰り返す。
【００２７】
システム制御部１０５は入力するフレーム画像が記録時間長から決定する記録フレーム数に達したときに撮像部１０１に対するフレーム画像の入力の指示をやめ、撮像部１０１はフレーム画像の入力をやめる。システム制御部１０５は最後に入力されたフレーム画像の符号化が行われ、ストリームデータを生成し、記録媒体に記録する。その後記録フレーム数分の記録１回分の情報（記録したストリームのファイル名等、記録したストリームの記録媒体上での位置を表す情報）を管理情報として記録媒体に記録し、記録を停止する。
【００２８】
時間計測部３０２はインターバル撮影中絶えず動作しており、システム制御部１０５は時間計測部３０２から得られる時刻情報をもとに設定されている撮影間隔分時間を計測し、撮影間隔に達したら再び撮影開始を行い、前回に撮影したストリームデータに追加していく。この動作を操作部１１３から撮影終了の指示がされるまで繰り返す。
【００２９】
次に図２のフローチャートを用いてインターバル撮影の撮影時間間隔の変更方法についての説明を行う。
【００３０】
ＳＴＥＰ  Ｓ２０１０：撮影条件設定
インターバル撮影モードが指示されるとこの処理がまず実行される。メニュー表示ボタン５０４を押すと、表示部１１４にインターバル撮影モードに移行するためのメニューが表示される。十字キー５０５の操作により、インターバル撮影モードを選択すると例えば図７のようなインターバル撮影に関する設定画面が表示される。図７の表示部１１４に表示されている各項目は十字キー５０５と決定ボタン５０６により選択可能である。ユーザは操作部１１３の十字キー５０５などにより撮影間隔および１回あたりの撮影時間長を設定する。システム制御部１０５は設定された撮影間隔、および撮影時間長をメモリ１０７へ格納する。
【００３１】
ＳＴＥＰ  Ｓ２０２０：インターバル撮影開始要求
ユーザは操作部１１３の十字キー５０５の操作により図７の表示部１１４表示されているインターバル撮影開始の項目を選び、決定ボタン５０６を操作することによりインターバル撮影開始要求をシステム制御部１０５にだす。
【００３２】
ＳＴＥＰ  Ｓ２０４０：インターバル撮影開始
システム制御部１０５はインターバル撮影を開始する。撮影開始の前処理として、システム制御部１０５は、メモリ１０７より前回のインターバル撮影で使われたカメラ制御情報を読み出す。カメラ制御情報は、例えば、明るさ（露出値、ゲイン）、絞り（アイリス）、電荷蓄積時間（電気シャッタ）、合焦（フォーカス）、焦点距離（ズーム）等である。メモリ１０７に前回使用されたカメラ制御情報が記録されていない場合は、システム制御部１０５はメモリ１０７に予め格納されているデフォルトのカメラ制御情報を使用する。また、Ｓ２０８５で時間計測部３０２より取得した時刻をメモリ１０７へ格納する。初回のインターバル撮影の時にはシステム制御部１０５は現在の時刻を時間計測部３０２より取得し、取得した時刻をメモリ１０７へ格納する。
【００３３】
以上の撮影開始前処理後、撮像部１０１で得られた電気信号を映像信号処理部１０２はおいてデジタルデータに変換し、フレームメモリ１０６にフレーム画像として格納する。また、同時にマイク１０４より取得した音声信号は音声信号処理部１０３においてデジタルデータに変換され、フレームメモリ１０６にバッファリングされる。システム制御部１０５はビデオ/オーディオコーデック１０８に対しフレーム画像、音声データの符号化を指示する。
【００３４】
ビデオ/オーディオコーデック１０８にはフレーム画像、音声データの符号化を行い、多重化処理部１１５において多重化を施されたのち、ストリームデータとしてストリームバッファ１０９に保持される。ストリームデータが所定のデータ量になると記録再生制御部１１０を介して記録媒体にストリームデータを記録する。
【００３５】
ＳＴＥＰ  Ｓ２０５０：撮影時間長経過
撮影が開始されるとシステム制御部１０５は時間計測部３０２により時刻を取得し、撮影開始時間からＳ２０１０のステップで設定された撮影時間が経過しているかの確認を行う。システム制御部１０５はＳ２０４０のフレーム画像の入力からストリームデータを記録するまでの動作を行い、撮影時間長経過するまでこのステップを繰り返す。
【００３６】
ＳＴＥＰ  Ｓ２０６０：撮影停止
Ｓ２０５０のステップで撮影開始から撮影時間長経過したと判断されたときの処理である。システム制御部１０５は撮像部１０１に対するフレーム画像の入力の指示をやめ、撮像部１０１はフレーム画像の入力をやめる。システム制御部１０５の指示により最後に入力されたフレーム画像の符号化が行われ、ストリームデータを生成し、ストリームデータは記録媒体に記録に記録される。
【００３７】
ＳＴＥＰ  Ｓ２０７０：撮影終了指示
システム制御部１０５はユーザから操作部１１３によりインターバル撮影の終了指示が出されたかの判断を行う。撮影終了指示はユーザがメニュー呼び出しボタン５０４の操作により、表示部１１４に撮影終了するかの選択画面が表示される。十字キー５０５、決定ボタン５０６の操作により撮影終了を選択するとシステム制御部１０５に対し、インターバル撮影の終了指示がなされる。
【００３８】
撮影終了要求が無ければＳ２０８５へ移行し、次の撮影開始時刻を待つ。撮影終了要求があったときにはＳ２０８０の処理を実行する。
【００３９】
ＳＴＥＰ  Ｓ２０８０：終了処理
ユーザよりインターバル撮影終了指示があったときにはシステム制御部１０５はインターバル撮影モードから抜け、通常の動画撮影モードへ移行する。
【００４０】
ＳＴＥＰ  Ｓ２０８５：インターバル撮影開始時刻か
システム制御部１０５は時間計測部３０２より時刻を取得し、前回の撮影時刻からＳ２０１０のステップで設定した時間が経過したかどうかの判定を行う。判定の結果インターバル開始時刻ではなかったときにはＳ２０９０のステップへ移行する。
【００４１】
ＳＴＥＰ  Ｓ２０９０：撮影開始要求
システム制御部１０５はユーザの操作により操作部１１３から撮影開始要求があったかの判断を行う。撮影開始要求は録画開始停止ボタン５０１の操作によりなされる。撮影要求があったときにはＳ２１００へ移行する。撮影要求が無かったときにはＳ２０８５へ戻り、次のインターバル撮影の開始時刻をまつ。
【００４２】
ＳＴＥＰ  Ｓ２１００：インターバル撮影に追加
ユーザから記録開始要求があったときには、システム制御部１０５は表示部１１４にこれから撮影する動画をインターバル撮影のストリームデータに追加するかの確認画面を表示する。ユーザは操作部１１３より追加するかの選択を行い、その結果はシステム制御部１０５へ入力される。インターバル撮影に追加するときには次にS2110の処理を実行し、追加しないときにはＳ２１３０の処理を実行する。
【００４３】
ＳＴＥＰ  Ｓ２１１０：撮影間隔の変更
これから撮影する動画がインターバル撮影に追加されるときの処理である。システム制御部１０５は表示部１１４に対し撮影間隔を変更するかの確認画面を表示する。撮影間隔を更新するときにはＳ２１２０の処理を実行し、更新しないときにはＳ２０４０へ移行し撮影を開始する。撮影間隔の変更方法について図４を用いて説明を行う。図４（ａ）はインターバル撮影の撮影時間長と撮影間隔を示すものである。矩形が撮影時間をあらわし、横方向に時間軸をとっている。所定時間記録し、前回の撮影から所定時間経過したら次の撮影を開始する様子を示している。
【００４４】
図４（ｂ）はインターバル撮影の待機中に撮影要求があり、撮影間隔の変更をしたときの撮影時間長と撮影間隔を示したものである。このステップで撮影間隔の変更要求があったときの動作を表している。待機中に撮影開始要求がきたときにはシステム制御部１０５はメモリ１０７から前回の撮影の開始時刻ｔ０を取得する。時間計測部３０２により現在の時刻ｔ１を取得し、現在の時刻ｔ１との差分を求める。求めた差分が次以降の撮影の撮影間隔となる。システム制御部１０５はメモリ１０７へ現在の時刻ｔ１を格納する。撮影が開始されると予め設定された撮影時間長分の時間が経過したら撮影終了となり、待機状態になる。
【００４５】
図４（ｃ）はインターバル撮影の待機中に撮影要求があり、撮影間隔の変更をなかったときの撮影時間長と撮影間隔を示したものである。このステップで撮影間隔の変更要求が無かったときの動作を表している。待機中に撮影開始要求がきたときにはシステム制御部１０５は計測部３０２により現在の時刻k1を取得し、メモリ１０７へ現在の時刻ｋ１を格納し、撮影を開始する。撮影が開始されると予め設定された撮影時間長分の時間が経過したら撮影終了となり、待機状態になる。次の撮影開始時刻はここで撮影開始した時刻から設定されている撮影間隔経過した後の時刻ｋ２となる。
【００４６】
インターバル撮影の待機中に撮影要求があり、撮影間隔の変更をなかったときの処理を上述のようにしたが、図４（ｄ）のように待機中の撮影要求で撮影したときには撮影開始時刻ｋ１’をメモリ１０７に格納せず。前回の撮影の撮影開始時刻ｋ０’を基準として次の撮影開始時刻ｋ２’を決定するような構成でもかまわない。
【００４７】
ＳＴＥＰ  Ｓ２１２０：撮影間隔の更新
システム制御部１０５は計測部３０２により現在の時刻を取得する。またメモリ１０７から前回の撮影の開始時刻を取得し、現在の時刻との差分を求める。システム制御部１０５は求めた差分を撮影間隔とし、メモリ１０７へ格納する。記録間隔の更新が完了したらＳ２０４０へ移行し、インターバル撮影の開始を行う。
【００４８】
ＳＴＥＰ  Ｓ２１３０：撮影開始
Ｓ２１００でインターバル撮影のストリームデータに追加しないと判断されたときの処理である。
【００４９】
動画像の撮影時には、システム制御部１０５の指示により撮像部１０１で得られた電気信号を映像信号処理部１０２はおいてデジタルデータに変換し、フレームメモリ１０６にフレーム画像としてバッファリングされる。また、同時にマイク１０４より取得した音声信号は音声信号処理部１０３においてデジタルデータに変換され、フレームメモリ１０６にバッファリングされる。フレームメモリ１０６に格納されたフレーム画像・音声データはビデオ／オーディオコーデック１０８によってそれぞれ符号化され、多重化処理部１１５において多重化を施されたのち、ストリームデータとしてストリームバッファ１０９に保持される。
【００５０】
システム制御部１０５はストリームバッファ１０９内のストリームデータを記録再生制御部１１０によってインターバル撮影のストリームデータとは別ファイルとして、内蔵記録媒体１１１もしくは外付け記録媒体１１２へ記録する。
【００５１】
ＳＴＥＰ  Ｓ２１４０：次のインターバル開始時刻が近づいている
撮影が開始されるとシステム制御部１０５は時間計測部３０２により時刻を取得し、現在の時刻がインターバル撮影の次の開始時刻に近づいているかの確認を行う。現在の記録を終了してからインターバル撮影の開始をする必要がある。
【００５２】
そのため記録を終了し、次の撮影を開始できるまでの時間を予めメモリ１０７に格納しておき、撮影開始時刻からメモリ１０７に格納されている時間を引いた時刻になったらＳ２１５０の処理に移る。
【００５３】
ＳＴＥＰ  Ｓ２１５０：撮影停止
図５（ａ）は撮影中にインターバル撮影の開始時時刻がきたときの動作を表す図である。次のインターバル撮影時刻ｋ２になる前にシステム制御部１０５は撮像部１０１に対するフレーム画像の入力の指示をやめ、撮像部１０１はフレーム画像の入力をやめる。システム制御部１０５の指示により最後に入力されたフレーム画像の符号化が行われ、ストリームデータを生成する。生成されたストリームデータはシステム制御部１０５により記録媒体に記録に別ファイルとして記録される。撮影が停止したら、次のインターバル撮影時刻ｋ２よりインターバル撮影を開始する
今回の例ではインターバルの撮影時刻が近づいたときに一度撮影を停止している。他の例として以下のような構成も考えられる。図５（ｂ）のように、撮影を停止せずに現在撮影しているストリームデータにインターバル撮影開始時刻ｋ２’と撮影開始時刻から撮影時間長をすぎたところの時刻ｋ３’をメモリ１０７に格納しておき、撮影が終わってからその部分のみをインターバル撮影のストリームにコピーしてもよい。
【００５４】
ＳＴＥＰ  Ｓ２１６０：撮影終了要求
システム制御部１０５はユーザの操作により操作部１１３から撮影終了要求があったかの判断を行う。撮影終了要求は録画開始停止ボタン５０１の操作によりなされる。撮影終了要求が無いときにはＳ２１４０に戻り次のインターバル撮影の開始時刻を待つ。
【００５５】
ＳＴＥＰ  Ｓ２１７０：撮影停止
Ｓ２１６０で撮影終了要求があったときの処理である。制御部１０５は撮像部１０１に対するフレーム画像の入力の指示をやめ、撮像部１０１はフレーム画像の入力をやめる。システム制御部１０５は最後に入力されたフレーム画像の符号化が行われ、ストリームデータを生成し、記録媒体に記録する。
【００５６】
撮影を停止した後にはＳ２０８５に戻り、次のインターバル撮影開始時刻を待つ。
【符号の説明】
【００５７】
１００  デジタルビデオカメラ、１０１  撮像部、１０２  映像信号処理部、
１０３  音声信号処理部、１０４  マイク、１０５  システム制御部、
１０６  フレームメモリ、１０７  メモリ１０７
【図１】
2016015658.tif 000003
【図３】
2016015658.tif 000004
【図２】
2016015658.tif 000005
【図４】
2016015658.tif 000006
【図５】
2016015658.tif 000007
【図６】
2016015658.tif 000008
【図７】
2016015658.tif 000009